(57)【要約】【課題】複数種類の無線通信方式における無線信号を受信しうる無線端末において、自動的に、第２の無線通信方式を優先できるようにする。【解決手段】第１の無線通信方式により待受を行なっている場合に、第２の無線通信方式のサービスエリア内に無線端末が入っているかどうかの判定を行なうが、第２の無線通信方式により待受を行なっている場合は、第１の無線通信方式のサービスエリア内に無線端末が入っているかどうかの判定を行なわない判定手段９と、この判定手段９での判定結果に応じて、第２の無線通信方式による待受に切り替える切り替え手段３９とをそなえて構成する。【選択図】図１
2007028670.tif 000002
【特許請求の範囲】
【請求項１】
複数種類の無線通信方式による無線信号を受信しうる無線端末において、
第１の無線通信方式により待受を行なっている場合に、第２の無線通信方式のサービスエリア内に該無線端末が入っているかどうかの判定を行なうが、前記第２の無線通信方式により待受を行なっている場合は、前記第１の無線通信方式のサービスエリア内に該無線端末が入っているかどうかの判定を行なわない判定手段と、
前記判定手段での判定結果に応じて、前記第２の無線通信方式による待受に切り替える切り替え手段と、
をそなえたことを特徴とする、無線端末。
【請求項２】
前記第２の無線通信方式は、ＣＤＭＡ方式であることを特徴とする、請求項１記載の無線端末。
【発明の詳細な説明】
【技術分野】
【０００１】
本発明は、無線端末に関し、特に、複数種類の無線通信方式の電波（無線信号）を受信しうる無線端末に関する。
【背景技術】
【０００２】
従来より、無線通信技術の分野、特に、携帯電話端末などの移動体通信技術の分野では、１つの基地局が扱う周波数帯域を分割して複数の移動体（移動端末）に割り当てることにより、複数の移動端末が１つの基地局に同時にアクセスして通信を行なう、周波数分割多元接続（ＦＤＭＡ:Frequency Division Multiple Access)方式と呼ばれる無線通信方式が良く知られている。なお、このＦＤＭＡ方式には、通常、搬送波（キャリア）を周波数変調（ＦＭ）して送信するＦＭ通信方式（アナログ通信方式）が採用される。
【０００３】
これに対し、近年、符号分割多元接続（ＣＤＭＡ:Code Division Multiple Access）方式と呼ばれる通信方式が注目されている。このＣＤＭＡ方式は、１次変調後の送信信号〔希望波：図８（ａ）参照〕に対して各移動端末で異なる符号系列を用いてスペクトラム拡散処理（２次変調）を施すことにより、各移動端末から送信される同一周波数の信号（チャネル）の分離識別を可能にしたデジタル無線通信方式で、図８（ｂ）に示すように、上記の２次変調により送信信号のスペクトラムが大きく広がることから、スペクトラム拡散多元接続（ＳＳＭＡ：Spread Spectrum Multiple Access)方式とも呼ばれる。
【０００４】
そして、このＣＤＭＡ方式（以下、単に「ＣＤＭＡ」ということがある）には、基地局がもつ周波数帯域を複数の移動端末が同時に占有してしまうために帯域の利用効率が非常に悪いという短所があるが、スペクトラム拡散処理後の送信信号の電力密度が低いので秘話性が極めて高いといった長所があることから、これまで、軍用通信などの特定の用途で利用されてきた。
【発明の開示】
【発明が解決しようとする課題】
【０００５】
ところが、近年、このＣＤＭＡ方式を民間の移動体通信サービス用の通信方式として提供する動きがあり、米国や韓国などの海外の一部の地域では既にサービスが開始されており、日本国内でも、近日中のサービス運用が予定されている。そして、このように、ＣＤＭＡ方式を利用したサービスが実現されると、既存のＦＤＭＡ方式などの他の通信方式を利用したサービスとの共存が要求されるため、移動端末にも、ＣＤＭＡ方式及びＦＤＭＡ（ＦＭ）方式のどちらの信号も受信可能（デュアル受信モード）で、しかも、どちらの信号に対しても適切な増幅処理を行なえることが要求される。
【０００６】
そこで、このようなデュアル受信モードの移動端末（以下、デュアルモード端末という）を実現するには、例えば図９に示すように、受信系（受信フロントエンド）１００における中間周波数（ＩＦ）帯用の増幅器（ＩＦアンプ）１０５の出力側に分配スイッチ１０６を設け、受信信号の通信方式（ＣＤＭＡモード又はＦＭモード）に応じてこのスイッチ１０６の出力を切り替えることにより、ＩＦアンプ１０５の出力がＣＤＭＡ受信（復調）処理系１０７Ａ，ＦＭ受信（復調）処理系１０７Ｂのいずれかへ出力されるようにすることが考えられる。
【０００７】
なお、この図９において、１０１は受信ＲＦ(Radio Frequency) 信号を増幅する低雑音増幅器（ＬＮＡ）、１０２は受信ＲＦ信号の雑音成分を除去するためのバンドパスフィルタ（ＢＰＦ）、１０３は受信ＲＦ信号とシンセサイザ〔ＰＬＬ(Phase Locked Loop) 回路〕１０４からの信号とを混合することにより受信ＲＦ信号をＩＦ信号にダウンコンバートするためのミキサ（ダウンコンバータ）である。
【０００８】
このような構成により、この図９に示すデュアルモード端末の受信系１００では、受信ＲＦ信号をミキサ１０３にてＩＦ信号にダウンコンバートしさらにそのＩＦ信号をＩＦアンプ１０５にて増幅した後の信号が、分配スイッチ１０６の出力がモード切り替え信号に応じて切り替えられることにより、ＣＤＭＡ受信処理系１０７Ａ，ＦＭ受信処理系１０７Ｂのいずれかへ出力される。
【０００９】
そして、ＣＤＭＡ受信処理系１０７Ａでは、入力ＩＦ信号に対してスペクトラム逆拡散（２次復調）処理，１次復調処理を施すことにより受信信号が復調され、ＦＭ受信処理系１０７Ｂでは、入力ＩＦ信号に対して周波数復調処理を施すことにより受信信号が復調される。
なお、上記のモード切り替え信号は、ＣＰＵ（図示略）がＣＤＭＡのサービスエリア（ＣＤＭＡ用の基地局からの信号を受信している）か、ＦＭのサービスエリア（ＦＭ用の基地局からの信号を受信している）かを検出することにより生成される。
【００１０】
ところで、このようなデュアルモード端末は、ＣＤＭＡのサービスエリアと既存のＦＭのサービスエリアとが地理的，周波数的に重複している場合、ＣＤＭＡの特性上、ＦＭサービスのキャリア信号による干渉問題を回避するために、ＣＤＭＡモードでの運用時には受信フロントエンド１００（具体的には、ＩＦアンプ１０５）に高い「３次の入力インタセプトポイント（ＩＩＰ３）」が要求される。
【００１１】
ここで、このＩＩＰ３とは、自己の無線通信方式（例えば、ＣＤＭＡ）とは異なる無線通信方式（ＦＭ）の受信信号（妨害波信号）の３次の高調波成分に起因して自己の無線通信方式（ＣＤＭＡ）の受信信号に対して生じる雑音信号（３次歪み）の抑圧度を表すパラメータで、例えばＩＦアンプ１０５が図１０に示すような入出力特性（傾きが略"１"の直線１１１）を有しているとすると、傾きが略"３"の直線１１２で表される３次歪みの入出力特性との交点１１３（ＩＰ３）の入力レベル（ｄＢ）で表される。
【００１２】
従って、高ＩＩＰ３が要求されるということは、この図１０における交点１１３（直線１１２）を紙面右方向へ移動させる（同じ入力レベルでの３次歪みの発生量を低くする）ことになる。このように、ＣＤＭＡモード運用時に、高ＩＩＰ３が要求されるのは、図８（ｂ）により上述したように、ＣＤＭＡ方式では、送信信号のスペクトラムの電力密度がＦＭ方式に比べて極端に低いためで、このスペクトラムの周波数領域にＦＭ方式のキャリア信号（妨害波信号）の３次高調波信号による３次歪みが大きく生じて干渉してしまうと、ＣＤＭＡの信号がＳ／Ｎ比が大幅に劣化して正常に受信できなくなる可能性があるためである。
【００１３】
そこで、図９に示す受信フロントエンド１００では、例えばＩＦアンプ１０５のバイアス電流量をＣＤＭＡモード用に大きく調整しておき、ＩＦアンプ１０５の直線状の入出力特性が曲線状に劣化し始める点（飽和点）１１４を紙面右方向へ伸ばしておく（リニアな部分を広くしておく：符号１１４′参照）ことにより、ＩＦアンプ１０５の性能を向上させて、上記３次歪みの発生量を抑制している。
【００１４】
従って、上記のＩＦアンプ１０５は、ＣＤＭＡモード，ＦＭモードのいずれの運用時にも、高ＩＩＰ３の要求されるＣＤＭＡモード用のバイアス電流量で動作することになる。しかしながら、ＦＭモード運用時には、それほど高いＩＩＰ３は要求されないため、このようにＩＦアンプ１０５をＣＤＭＡモードとＦＭモードとで共通にすると、既存のＦＭモードのみの受信フロントエンドに比べて、消費電流量が多くなってしまい消費電力が大幅に増加してしまう。
【００１５】
本発明は、このような課題に鑑み創案されたもので、複数種類の無線通信方式に応じた受信信号の増幅を行なうことにより、各無線通信方式の信号に対してそれぞれ最適な増幅処理を行なえるようにして消費電力の低減を図ることのできる、無線端末を提供することを目的とする。
【課題を解決するための手段】
【００１６】
このため、本発明の無線端末は、複数種類の無線通信方式における無線信号を受信しうる無線端末において、第１の無線通信方式により待受を行なっている場合に、第２の無線通信方式のサービスエリア内に該無線端末が入っているかどうかの判定を行なうが、前記第２の無線通信方式により待受を行なっている場合は、前記第１の無線通信方式のサービスエリア内に該無線端末が入っているかどうかの判定を行なわない判定手段と、前記判定手段での判定結果に応じて、前記第２の無線通信方式による待受に切り替える切り替え手段とをそなえたことを特徴としている（請求項１）。
【００１７】
ここで、前記第２の無線通信方式は、ＣＤＭＡ方式であってもよい（請求項２）。
また、本発明に関連する技術の無線受信装置は、複数種類の無線通信方式における無線信号を受信しうる受信系をそなえるとともに、この受信系に、前記の複数種類の無線通信方式に応じて、複数種類の受信信号増幅用の増幅器が設けられていることを特徴としている。
【００１８】
ここで、上記無線受信装置は、上記の受信信号の無線通信方式に応じて使用する増幅器を選択する選択制御部をそなえていてもよい。
また、本無線受信装置は、上記の受信系が、受信信号を上記の無線通信方式に応じて上記の増幅器のいずれかへ出力する出力選択部をそなえるとともに、上記の選択制御部が、受信信号の無線通信方式に応じて、この出力選択部での選択処理を制御するとともに上記の増幅器のいずれかを動作させるように構成されていてもよい。
【００１９】
さらに、上記の出力選択部は、上記の受信信号として無線周波数帯の無線信号をダウンコンバートした後の中間周波数帯の無線信号が入力される中間周波数段に設け、上記の増幅器は、それぞれ、中間周波数帯の無線信号を増幅する中間周波数帯用の増幅器として構成してもよい。
また、上記の複数種類の無線通信方式が、自己の無線通信方式とは異なる無線通信方式の受信信号に起因して自己の無線通信方式の受信信号に対して生じる雑音信号の許容レベルが相互に異なる第１通信方式と第２通信方式とである場合は、上記の複数種類の増幅器として、前記の許容レベルをそれぞれ満足する動作条件となるようにバイアス電流量を設定された第１通信方式用の第１増幅器と第２通信方式用の第２増幅器とを設けるとともに、上記の出力選択部を、受信信号を上記の第１増幅器及び第２増幅器のいずれかに分配する分配スイッチとして構成し、且つ、上記の選択制御部を、受信信号の無線通信方式に応じて、この分配スイッチの出力を第１増幅器及び第２増幅器のいずれかに切り替えるとともに、対応する第１増幅器及び第２増幅器のいずれかを動作させる切り替え制御部として構成してもよい。
【００２０】
なお、この切り替え制御部は、受信信号の無線通信方式が上記の第１通信方式及び第２通信方式のいずれであるかを検出する通信方式検出部をそなえるとともに、この通信方式検出部において第１通信方式が検出されると、上記の分配スイッチの出力を上記の第１増幅器側へ切り替えるとともに第１増幅器を動作させる一方、第２通信方式が検出されると、上記の分配スイッチの出力を第２増幅器側へ切り替えるとともに第２増幅器を動作させるように構成されていてもよい。
【００２１】
また、上記の第２通信方式は、所望の変調方式を利用したアナログ無線通信方式であり、上記の第１通信方式は、このアナログ無線通信方式よりも上記の雑音信号の許容レベルの低い、スペクトラム拡散方式を利用したデジタル無線通信方式であってもよい。この場合は、上記の第１増幅器のバイアス電流量が上記の第２増幅器のバイアス電流量よりも大きくなるように設定するのがよい。
【００２２】
次に、本発明に関連する技術の無線受信装置は、複数種類の無線通信方式における無線信号を受信しうる受信系をそなえるとともに、この受信系に受信信号を増幅する上記の無線通信方式に共通の増幅器が設けられ、且つ、この増幅器の動作条件を受信信号の無線通信方式に応じた動作条件に変更する制御部をそなえていることを特徴としている。
ここで、この制御部は、受信信号の無線通信方式に応じて増幅器のバイアス電流量を変更することにより上記の動作条件を変更するバイアス変更制御部として構成されていてもよい。
【００２３】
また、上記の複数種類の無線通信方式が、自己の無線通信方式とは異なる無線通信方式の受信信号に起因して自己の無線通信方式の受信信号に対して生じる雑音信号の許容レベルが相互に異なる第１通信方式と第２通信方式とである場合は、上記のバイアス変更制御部が、受信信号の無線通信方式に応じて、上記の増幅器の動作条件が前記の許容レベルをそれぞれ満足するよう、増幅器のバイアス電流量を第１通信方式用の第１電流量と第２通信方式用の第２電流量との間で変更するように構成されていてもよい。
【００２４】
なお、上記のバイアス変更制御部は、受信信号の無線通信方式が上記の第１通信方式及び第２通信方式のいずれであるかを検出する通信方式検出部をそなえるとともに、この通信方式検出部において第１通信方式が検出されると、増幅器のバイアス電流量を上記の第１電流量に変更する一方、この通信方式検出部において第２通信方式が検出されると、増幅器のバイアス電流量を上記の第２電流量に変更するように構成されていてもよい。
【００２５】
また、上記の増幅器は、受信信号として無線周波数帯の無線信号をダウンコンバートした後の中間周波数帯の無線信号を増幅する中間周波数帯用の増幅器として構成されていてもよい。
さらに、上記の第２通信方式は、所望の変調方式を利用したアナログ無線通信方式であり、上記の第１通信方式は、このアナログ無線通信方式よりも上記の雑音信号の許容レベルの低い、スペクトラム拡散方式を利用したデジタル無線通信方式であってもよく、この場合は、上記の第１電流量が、上記の第２電流量よりも大きいのがよい。
【００２６】
次に、本発明に関連する技術の無線受信装置における信号増幅方法は、複数種類の無線通信方式における無線信号を受信しうる無線受信装置において、受信信号の無線通信方式に応じて複数種類の増幅器のうちのいずれかを選択し、選択した増幅器を用いて受信信号の増幅を行なうことを特徴としている。
さらに、本発明に関連する技術の無線受信装置における信号増幅方法は、複数種類の無線通信方式における無線信号を受信しうる無線受信装置において、受信信号を増幅するための増幅器の動作条件を受信信号の無線通信方式に応じた動作条件に変更し、このように動作条件を変更した状態で受信信号の増幅を行なうことを特徴としている。
【発明の効果】
【００２７】
本発明の無線端末によれば、第１の無線通信方式により待受を行なっている場合に、第２の無線通信方式のサービスエリア内に無線端末が入っているかどうかの判定を行ない、第２の無線通信方式により待受を行なっている場合は、第１の無線通信方式のサービスエリア内に無線端末が入っているかどうかの判定を行なわないで、これらの判定結果に応じて、前記第２の無線通信方式による待受に切り替えるので、第２の無線通信方式における無線信号のサービスエリアに入れば、自動的に、第２の無線通信方式を優先できる。これにより、例えば、ＣＤＭＡ方式を優先的に選択することができる（請求項１，２）。
【００２８】
また、本発明に関連する技術の無線受信装置によれば、受信系に、複数種類の無線通信方式に応じて、複数種類の受信信号増幅用の増幅器が設けられているので、各通信方式の受信信号をそれぞれ各通信方式に専用の増幅器で個別に増幅することができ、これにより、常に、受信信号の増幅に最適な増幅器で信号の増幅を行なうことができる。
ここで、上記の無線通信方式に応じて使用する増幅器を選択する選択制御部を設ければ、受信信号の無線通信方式に応じてその受信信号の増幅に必要な増幅器のみが選択・使用されることになるので、本無線装置の消費電力の低減化にも大いに寄与する。
【００２９】
また、本発明に関連する技術の無線受信装置は、受信信号を上記の無線通信方式に応じて上記の増幅器のいずれかへ出力する出力選択部をそなえるとともに、上記の選択制御部を、受信信号の無線通信方式に応じて、この出力選択部での選択処理を制御するとともに上記の増幅器のいずれかを動作させるように構成すれば、簡素な構成で、受信信号の無線通信方式に応じた選択増幅処理を実現することができる。
【００３０】
さらに、上記の出力選択部を、上記の受信信号として無線周波数帯の無線信号をダウンコンバートした後の中間周波数帯の無線信号が入力される中間周波数段に設け、上記の増幅器を、それぞれ、中間周波数帯の無線信号を増幅する中間周波数帯用の増幅器として構成すれば、少なくとも無線周波数段は各無線通信方式に共通な構成とすることができるので、本無線受信装置の小型化を図ることができる。
【００３１】
また、上記の複数種類の無線通信方式が、自己の無線通信方式とは異なる無線通信方式の受信信号に起因して自己の無線通信方式の受信信号に対して生じる雑音信号の許容レベルが相互に異なる第１通信方式と第２通信方式とである場合は、前記の許容レベルをそれぞれ満足する動作条件となるようにそれぞれ異なるバイアス電流量を設定された第１通信方式用の第１増幅器と第２通信方式用の第２増幅器とのいずれかを、受信信号の通信方式に応じて切り替え制御部によって動作させるようにすれば、常に、上記の各通信方式に最適な動作条件（バイアス電流量）の増幅器のみを動作させて受信信号の増幅を行なうことができるので、増幅器の消費電流量を低減してさらに本装置の消費電力を低減することができる。
【００３２】
なお、上記の切り替え制御部は、受信信号の無線通信方式が上記の第１通信方式及び第２通信方式のいずれであるかを検出する通信方式検出部をそなえれば、この通信方式検出部での検出結果に応じて動作させる増幅器の切り替え制御を自動的に行なうことができるので、本無線受信装置の利便性の向上に大きく寄与する。
ここで、特に、上記の第２通信方式が、所望の変調方式を利用したアナログ無線通信方式であり、上記の第１通信方式が、このアナログ無線通信方式よりも上記の雑音信号の許容レベルの低い、スペクトラム拡散方式を利用したデジタル無線通信方式である場合は、アナログ無線通信方式及びデジタル無線通信方式の各通信方式に最適な動作条件（バイアス電流量）で受信信号の増幅を行なえるので、増幅器を各通信方式で共通化してそのバイアス電流量を上記許容レベルの低いデジタル通信方式に合わせて大きく調整する場合に比べて、大幅に消費電力を低減することができる。
【００３３】
次に、本発明に関連する技術の無線受信装置によれば、受信信号を増幅する上記の無線通信方式に共通の増幅器が設けられるとともに、この増幅器の動作条件を受信信号の無線通信方式に応じた動作条件に変更する制御部が設けられているので、各無線通信方式に応じた増幅器を複数種類設ける必要がなく、装置全体の簡素化を図りつつ、常に、各無線通信方式に最適な動作条件で増幅器を動作させて受信信号の増幅を行なうことができる。
【００３４】
ここで、上記の制御部を、受信信号の無線通信方式に応じて増幅器のバイアス電流量を変更することにより上記の動作条件を変更するバイアス変更制御部として構成すれば、各無線通信方式に最適なバイアス電流量で増幅器を動作させることができるので、本装置の消費電力を大幅に低減することができる。
また、上記の複数種類の無線通信方式が、自己の無線通信方式とは異なる無線通信方式の受信信号に起因して自己の無線通信方式の受信信号に対して生じる雑音信号の許容レベルが相互に異なる第１通信方式と第２通信方式とである場合は、上記のバイアス変更制御部を、受信信号の無線通信方式に応じて、上記の増幅器の動作条件が上記の許容レベルをそれぞれ満足するよう、増幅器のバイアス電流量を第１通信方式用の第１電流量と第２通信方式用の第２電流量との間で変更するように構成すれば、簡素な構成で、受信信号の無線通信方式に応じた増幅器の動作条件の変更制御を実現することができる。
【００３５】
なお、上記のバイアス変更制御部は、受信信号の無線通信方式が上記の第１通信方式及び第２通信方式のいずれであるかを検出する通信方式検出部をそなえれば、この通信方式検出部での検出結果に応じて増幅器の動作条件（バイアス電流量）の変更制御を自動的に行なうことができるので、利便性の向上に大きく寄与する。
また、上記の増幅器を、受信信号として無線周波数帯の無線信号をダウンコンバートした後の中間周波数帯の無線信号を増幅する中間周波数帯用の増幅器として構成すれば、無線周波数段から中間周波数帯用の増幅器までは各無線通信方式に共通な構成とすることができるので、さらなる小型化を図ることができる。
【００３６】
さらに、上記の第２通信方式が、所望の変調方式を利用したアナログ無線通信方式であり、上記の第１通信方式が、このアナログ無線通信方式よりも上記の雑音信号の許容レベルの低い、スペクトラム拡散方式を利用したデジタル無線通信方式である場合には、アナログ無線通信方式及びデジタル無線通信方式の各通信方式に最適な動作条件（第１電流量＞第２電流量）で受信信号の増幅を行なえるので、増幅器を各通信方式で共通化してそのバイアス電流量を上記許容レベルの低いデジタル通信方式に合わせて大きく調整したままにしておく場合に比べて、大幅に消費電力を低減することができる。
【００３７】
また、本発明に関連する技術の無線受信装置における信号増幅方法によれば、複数種類の無線通信方式における無線信号を受信しうる無線受信装置において、受信信号の無線通信方式に応じて複数種類の増幅器のうちのいずれかを選択し、選択した増幅器を用いて受信信号の増幅を行なうので、各通信方式の受信信号をそれぞれ各通信方式に専用の増幅器で個別に増幅することができ、これにより、常に、受信信号の増幅に最適な増幅器で信号の増幅を行なうことができる。また、この場合は、受信信号の無線通信方式に応じてその受信信号の増幅に必要な増幅器のみが選択・使用されることになるので、本無線装置の消費電力の低減化にも大いに寄与する。
【００３８】
さらに、本発明に関連する技術の無線受信装置における信号増幅方法によれば、複数種類の無線通信方式における無線信号を受信しうる無線受信装置において、受信信号を増幅するための増幅器の動作条件を受信信号の無線通信方式に応じた動作条件に変更し、このように動作条件を変更した状態で受信信号の増幅を行なうので、各無線通信方式に応じた増幅器を複数種類設ける必要がなく、装置全体の簡素化を図りつつ、常に、各無線通信方式に最適な動作条件で増幅器を動作させて受信信号の増幅を行なうことができる。
【発明を実施するための最良の形態】
【００３９】
以下、図面を参照して本発明の実施の形態を説明する。
（Ａ）第１実施形態の説明
図１は本発明の第１実施形態としての携帯無線移動端末（無線端末）の構成を示すブロック図で、この図１に示す携帯無線移動端末１は、ＣＤＭＡ方式〔第１通信方式（スペクトラム拡散方式を利用したデジタル無線通信方式）〕及びＦＤＭＡ方式〔第２通信方式（ＦＭ方式を利用したアナログ無線通信方式）〕の各サービスエリアのいずれでも使用可能なデュアルモード端末として構成されており、この図１に示すように、送信系２と受信系３とをそなえ、１本のアンテナ４が、アンテナ共用器５によりこれらの送信系２と受信系３とで共用化された構成となっている。なお、この図１において、６はシンセサイザ、７はバンドパスフィルタ（ＢＰＦ）、８は大規模集積回路（ＬＳＩ）、９は中央演算回路（ＣＰＵ）で、それぞれ、その機能については後述する。
【００４０】
そして、この図１に示すように、送信系２は、直交変調器２１，バンドパスフィルタ２２，２５，ＡＧＣ(Automatic Gain Control)アンプ２３，２６，ミキサ（アップコンバータ）２４，パワーアンプ（ＰＡ）２７及びアイソレータ２８などをそなえて構成されており、受信系３は、ローノイズアンプ（ＬＮＡ）３１，バンドパスフィルタ（ＢＰＦ）３２，ミキサ（ダウンコンバータ）３３，切り替えスイッチ３４，ＣＤＭＡ復調処理系４０Ａ及びＦＭ復調処理系４０Ｂなどをそなえて構成されている。
【００４１】
ここで、まず、送信系２において、直交変調器２１は、ＬＳＩ８で処理された送信ベースバンド（ＢＢ）信号〔ＣＤＭＡモード時には拡散（１次変調）処理が施されている〕に対し、シンセサイザ〔ＰＬＬ(Phase Locked Loop) 回路〕６で生成される中間周波数（ＩＦ）帯の搬送波信号を用いて、直交変調処理〔ここでは、例えばＱＰＳＫ(Quadriphase Phase Shift Keying)〕を施して送信ＩＦ信号を得るものであり、ＢＰＦ２２は、この直交変調器２１を通じて得られた送信ＩＦ信号のうちの送信すべき周波数成分のみを通過して雑音などの不要成分を除去するためのものである。
【００４２】
また、ＡＧＣアンプ２３は、ＢＰＦ２２を通過してきた送信ＩＦ信号を所望の信号レベルに増幅するもので、本実施形態では、後述するＣＤＭＡモード時の受信信号レベルに基づいて基地局（図示略）との距離が或る程度分かることから、その距離に応じて送信電力が必要最小限の電力となるように、そのゲインが例えばＣＰＵ９によって自動的に最適制御されるようになっている。なお、ＡＧＣアンプ２６も、このＡＧＣアンプ２３と同様のもので、このように２段構成となっているのは、送信系２において所要のダイナミックレンジ（例えば６０ｄＢ）を確保できるようにするためである。
【００４３】
さらに、ミキサ２４は、ＡＧＣアンプ２３からの送信ＩＦ信号と、ＰＬＬ回路６で生成される無線周波数（ＲＦ）帯の搬送波信号とをミキシングすることにより、送信ＩＦ信号を送信ＲＦ信号に周波数変換（アップコンバート）するものであり、ＢＰＦ２５は、この送信ＲＦ信号のうちの送信すべき周波数成分のみを通過して雑音などの不要成分を除去するためのものである。
【００４４】
また、パワーアンプ２７は、ＡＧＣアンプ２６からの送信ＲＦ信号を所望の信号レベルに増幅するものであり、アイソレータ２８は、１方向のみに信号を通過する特性をもった方向性結合器で、送信ＲＦ信号の反射成分やアンテナ４で受信される受信ＲＦ信号成分が送信系２に回り込んでしまうことを防止する目的で用いられている。
一方、受信系３（以下、受信フロントエンド３ということがある）において、ＬＮＡ３１は、アンテナ４及びアンテナ共用器５を通じて受信される基地局からの無線電波（無線信号）を低雑音で増幅することができるもので、ここでは、上述したようにＣＤＭＡモード時には受信信号レベルに応じてそのゲインを最適制御できるようゲイン可変タイプのものが用いられている。
【００４５】
また、ＢＰＦ３２は、このＬＮＡ３１からの無線信号（受信ＲＦ信号）のうちの受信すべき周波数成分のみを通過して雑音などの不要成分を除去するためのものであり、ミキサ３３は、このＢＰＦ３２を通過してきた受信ＲＦ信号と、ＰＬＬ回路６で生成されＢＰＦ７にて雑音などの不要成分を除去されたＩＦ帯の搬送波信号とをミキシングすることにより、受信ＲＦ信号を受信ＩＦ信号に周波数変換（ダウンコンバート）するものである。
【００４６】
さらに、切り替えスイッチ（出力選択部，分配スイッチ）３４は、このミキサ３３で得られた受信ＩＦ信号を、その信号の通信方式（ここでは、ＣＤＭＡ方式又はＦＭ（ＦＤＭＡ）方式）に応じて、ＣＤＭＡ復調処理系４０Ａ，ＦＭ復調処理系４０Ｂのいずれかへ選択的に出力するもので、本実施形態では、後述するように、ＣＰＵ９において受信信号の通信方式が自動的に検出されその検出結果に応じたモード（ＣＤＭＡモード又はＦＭモード）切り替え信号が供給されることによってその出力が切り替えられるようになっている。
【００４７】
なお、本実施形態では、このように、受信信号としてＲＦ帯の無線信号をミキサ３３にてダウンコンバートした後のＩＦ帯の無線信号が入力されるＩＦ段に切り替えスイッチ３４を設けることにより、スイッチ３４の前段（ＲＦ段）については各無線通信方式（ＣＤＭＡ方式，ＦＭ方式）に共通の構成にできるようにしている。
また、ＣＤＭＡ復調処理系４０Ａは、ＣＤＭＡモード時に切り替えスイッチ３４を通じて入力される受信ＩＦ信号について復調処理を施すもので、例えば、ＣＤＭＡ用ＩＦアンプ３５Ａ，ＢＰＦ３６Ａ，ＡＧＣアンプ３７Ａ及び直交復調器３８Ａをそなえて構成されており、ＦＭ復調処理系４０Ｂは、ＦＭモード時に切り替えスイッチ３４を通じて入力される受信ＩＦ信号について復調処理を施すもので、例えば、ＦＭ用ＩＦアンプ３５Ｂ，ＢＰＦ３６Ｂ及びＦＭ復調器３８Ｂをそなえて構成されている。
【００４８】
そして、ＣＤＭＡ復調処理系４０Ａにおいて、ＣＤＭＡ用ＩＦアンプ（第１増幅器）３５Ａは、切り替えスイッチ３４を通じて入力される受信ＩＦ信号を増幅するＩＦ帯用の増幅器で、ここでは、ＣＤＭＡモード時に上記のモード切り替え信号に連動して電源切り替え回路３９から電源（電圧）が供給（印加）されることによって動作するようになっている。
【００４９】
また、ＢＰＦ３６Ａは、このＣＤＭＡ用ＩＦアンプ３５Ａからの受信ＩＦ信号のうちの受信すべき周波数成分のみを通過して雑音などの不要成分を除去するためのものであり、ＡＧＣアンプ３７Ａは、このＢＰＦ３６Ａを通過してきた受信ＩＦ信号を所望の信号レベルに増幅するもので、前記のＡＧＣアンプ２３などと同様に、基地局との距離に応じて受信電力が必要最小限の電力となるように、そのゲインが自動的に最適制御されるようになっている。
【００５０】
さらに、直交復調器３８Ａは、ＰＬＬ回路６で生成されるＩＦ帯の搬送波信号に基づき、このＡＧＣアンプ３７Ａからの受信ＩＦ信号に対して直交復調処理（ＱＰＳＫ復調処理，２次復調処理）を施すことにより、復調ＢＢ信号を得るもので、このようにして得られたＣＤＭＡモード時の復調ＢＢ信号は、ＬＳＩ８にて、Ａ／Ｄ（アナログ／ディジタル）変換処理，フィルタリング処理，逆拡散（１次復調）処理などの所望の処理が施されるようになっている。
【００５１】
一方、ＦＭ復調処理系４０Ｂにおいて、ＦＭ用ＩＦアンプ（第２増幅器）３５Ｂは、切り替えスイッチ３４を通じて入力される受信ＩＦ信号を増幅するＩＦ帯用の増幅器で、ＣＤＭＡ用ＩＦアンプ３５Ａと同様に、ＦＭモード時に上記のモード切り替え信号に連動して電源切り替え回路３９から電源（電圧）が供給（印加）されることによって動作するようになっている。
【００５２】
つまり、本実施形態の携帯無線移動端末１（以下、単に「端末１」といったり、「デュアルモード端末１」といったりすることがある）は、受信フロントエンド３に着目すると、図２に示すように構成されており、この受信フロントエンド３に、複数種類の無線通信方式（ＣＤＭＡ方式，ＦＭ方式）に応じて、複数種類の受信信号増幅用の増幅器３５Ａ，３５Ｂが設けられているのである。
【００５３】
また、ＢＰＦ３６Ｂは、このＦＭ用ＩＦアンプ３５Ｂからの受信ＩＦ信号のうちの受信すべき周波数成分のみを通過して雑音などの不要成分を除去するためのものであり、ＦＭ復調器３８Ｂは、このＡＧＣアンプ３７Ａからの受信ＩＦ信号に対し、ＰＬＬ回路６で生成されるＩＦ帯の搬送波信号に基づき、直交復調処理（ＱＰＳＫ復調処理）を施すことにより、復調ＢＢ信号を得るもので、このようにして得られたＦＭモード時の復調ＢＢ信号は、ＬＳＩ８にて、フィルタリング処理などの所望の処理が施されるようになっている。
【００５４】
そして、ＣＰＵ９は、上述のごとく構成された送信系２及び受信系３での各処理を集中的に制御するものであるが、本実施形態では、受信信号の無線通信方式（ＣＤＭＡ方式，ＦＭ方式）に応じて、使用するＩＦアンプ３５Ａ，３５Ｂを選択する（切り替えスイッチ３４の出力をＩＦアンプ３５Ａ，３５Ｂのいずれかに切り替えるとともに、対応するＩＦアンプ３５Ａ，３５Ｂのいずれかを動作させる）選択制御部（切り替え制御部）としての機能も果たしている。
【００５５】
具体的には、ＣＤＭＡモード時には切り替えスイッチ３４の出力をＩＦアンプ３５Ａ側に切り替えるとともに電源切り替え回路３９を制御してＩＦアンプ３５Ａを動作させる一方、ＦＭモード時には切り替えスイッチ３４の出力をＩＦアンプ３５Ｂ側に切り替えるとともに電源切り替え回路３９を制御してＩＦアンプ３５Ｂを動作させるようになっている。
【００５６】
なお、上記のＣＤＭＡモード，ＦＭモードは、後述するようにＣＤＭＡ用の基地局からの信号又はＦＭ用の基地局からの信号が受信されているか否かによって判別される。つまり、本ＣＰＵ９は、受信信号の無線通信方式がＣＤＭＡ及びＦＭのいずれであるかを検出する通信方式検出部、即ち、第１の無線通信方式により待受を行なっている場合に、第２の無線通信方式のサービスエリア内に無線端末が入っているかどうかの判定を行なうが、前記第２の無線通信方式により待受を行なっている場合は、前記第１の無線通信方式のサービスエリア内に無線端末が入っているかどうかの判定を行なわない判定手段としての機能も果たしている。ただし、本実施形態では、ＦＭモードでの待受状態においてもＣＤＭＡチャネルへのアクセスが成功すると自動的にＣＤＭＡモードでの待受状態に遷移する（ＣＤＭＡモードが優先される）ようになっている。
【００５７】
ところで、上述したＣＤＭＡ用ＩＦアンプ３５Ａ，ＦＭ用ＩＦアンプ３５Ｂは、前述したようにＣＤＭＡ方式とＦＭ方式とで妨害波信号に起因して受信信号に対して生じる雑音信号の許容レベル（ＩＩＰ３）が相互に異なるので、本実施形態では、それぞれの方式（モード）におけるＩＩＰ３を満足するように最適設計されている。
即ち、ＣＤＭＡ方式で要求されるＩＩＰ３の方がＦＭ方式で要求されるＩＩＰ３よりも高い（即ち、ＣＤＭＡ方式の方が妨害波信号となるＦＭ方式の受信信号に起因して生じる雑音の許容レベルが低い）ので、ＣＤＭＡ用ＩＦアンプ３５Ａについては、ＣＤＭＡモード時のＩＩＰ３を満足する動作条件となるよう、図１０により前述したように、例えばＣＤＭＡ用ＩＦアンプ３５Ａの動作時のバイアス電流量がＦＭ用ＩＦアンプ３５Ｂの動作時のバイアス電流量よりも大きくなるように調整（設定）して、ＩＦアンプ３５Ａの入出力特性上、直線１１２を紙面右方向へ移動させておく。
【００５８】
ここで、バイアス電流量の調整手法については特に問わないが、例えば図３に示すように、ＩＦアンプ３５Ａを、バイポーラトランジスタＴＲ１，抵抗Ｒ１〜Ｒ３，コンデンサＣ１〜Ｃ４，コイルＬ１，Ｌ２により構成し、ＩＦアンプ３５Ｂを、バイポーラトランジスタＴＲ２，抵抗Ｒ４〜Ｒ６，コンデンサＣ５〜Ｃ８，コイルＬ３，Ｌ４により構成する場合、バイポーラトランジスタ（以下、単に「トランジスタ」という）ＴＲ１のエミッタに接続される抵抗Ｒ３の抵抗値ｒ３を、トランジスタＴＲ２のエミッタに接続される抵抗Ｒ６の抵抗値ｒ６よりも小さくしておくことが考えられる。ただし、この場合、抵抗Ｒ３，Ｒ６以外の素子は、ＩＦアンプ３５ＡとＩＦアンプ３５Ｂとでそれぞれ同一の素子を用いるものと仮定する。
【００５９】
これにより、トランジスタＴＲ１，ＴＲ２のコレクタにそれぞれ同じ電圧値を供給すると、トランジスタＴＲ１のエミッタに流れる電流量の方がトランジスタＴＲ２のエミッタに流れる電流量よりも大きくなり、ＣＤＭＡ用ＩＦアンプ３５Ａのバイアス電流量の方がＦＭ用ＩＦアンプ３５Ｂのバイアス電流量よりも大きくなる。つまり、各ＩＦアンプ３５Ａ，３５Ｂには、それぞれ、各モードで要求されるＩＩＰ３を満足する動作条件となるようにそれぞれ異なるバイアス電流量が設定されているのである。
【００６０】
なお、電源切り替え回路３９は、この図３に示すように、トランジスタＴＲ３，ＴＲ４及び抵抗Ｒ７〜Ｒ９を用いたスイッチ３９１と、インバータＩＮＶ１，トランジスタＴＲ５，ＴＲ６及び抵抗Ｒ１０〜Ｒ１２を用いたスイッチ３９２とをそなえることにより、各ＩＦアンプ３５Ａ，３５Ｂへの電源供給の切り替え機能が実現されており、例えば、ＣＰＵ９からのモード切り替え信号がＨレベル（ＣＤＭＡモード）となると、トランジスタＴＲ４が動作しこれに伴いトランジスタＴＲ３が動作して、ＣＤＭＡ用ＩＦアンプ３５Ａに電源電圧を供給するようになっている。即ち、上記ＣＰＵ（判定手段）９での判定結果に応じて、前記第２の無線通信方式による待受に切り替える切り替え手段として機能している。なお、このとき、Ｈレベルのモード切り替え信号がインバータＩＮＶ１によって反転されてＬレベルとなっているのでスイッチ３９２のトランジスタＴＲ５，ＴＲ６はいずれも動作せず、ＦＭ用ＩＦアンプ３５Ｂには電圧は供給されない（ＦＭ用アンプ３５Ｂは非動作状態となっている）。
【００６１】
逆に、ＣＰＵ９からのモード切り替え信号がＬレベル（ＦＭモード）となると、スイッチ３９２におけるトランジスタＴＲ６が動作しこれに伴いトランジスタＴＲ５が動作して、ＦＭ用ＩＦアンプ３５Ｂに電源電圧が供給される。このとき、スイッチ３９１には、Ｌレベルのモード切り替え信号がそのまま入力されるので、トランジスタＴＲ３，ＴＲ４はいずれも動作せず、ＣＤＭＡ用ＩＦアンプ３５Ａには電圧は供給されない（ＣＤＭＡ用ＩＦアンプ３５Ａは非動作状態となっている）。
【００６２】
以下、上述のごとく構成された本実施形態のデュアルモード端末１の動作について、図４に示すフローチャート（ステップＳ１〜Ｓ８）を参照しながら詳述する。ただし、以下では、ＦＭのサービスエリアとして、ＴＡＣＳ(Total AccessCommunication System) と呼ばれるシステムが提供するサービスエリアを一例にして説明する。
まず、端末１は電源が投入されると、ＣＰＵ９（通信方式検出部）が、ＣＤＭＡの基地局からの無線信号を受信できているか否か、つまり、端末１がＣＤＭＡのサービスエリアに入っているか否かを判別する（ステップＳ１）。この結果、端末１がＣＤＭＡのサービスエリアに入っていない場合（ステップＳ１でＮＯと判定された場合）、ＣＰＵ９は、今度は、ＴＡＣＳ（ＦＭ）の基地局からの無線信号を受信できている（端末１がＴＡＣＳのサービスエリアに入っている）か否かを判別する（ステップＳ２）。
【００６３】
この結果、ＴＡＣＳのサービスエリアにも入っていなければ（ステップＳ２でＮＯと判定されれば）、ＣＰＵ９は、再度、ＣＤＭＡのサービスエリアに入っているか否かを判別し、ＣＤＭＡ，ＴＡＣＳのいずれかの信号の受信を検出できるまで上記の判別処理を繰り返す（この間、端末１はいわゆる「圏外」の状態となっている）。
そして、例えば、ＴＡＣＳの信号の受信が検出されたとすると（ステップＳ２でＹＥＳと判定されると）、ＣＰＵ９は、送信系２を通じて、ＴＡＣＳの基地局にアクセスすることにより、自己（端末１）の電番情報や固有の識別情報などの所要の情報を基地局に登録してもらい（ステップＳ３）、ＴＡＣＳモードでの待受状態となる（ステップＳ４）。
【００６４】
このとき、ＣＰＵ９は、ＴＡＣＳモード用のモード切り替え信号（ここでは、Ｌレベル）を生成しており、このモード切り替え信号が受信系３の切り替えスイッチ３４及び電源切り替え回路３９に供給されている。これにより、切り替えスイッチ３４の出力がＦＭ復調処理系４０Ｂ側に切り替えられるとともに、電源切り替え回路３９におけるトランジスタＴＲ５，ＴＲ６が動作し、ＦＭ復調処理系４０ＢのＦＭ用ＩＦアンプ３５Ｂに電源電圧が供給されて、このＦＭ用ＩＦアンプ３５Ｂが動作する（ＣＤＭＡ用ＩＦアンプ３５Ａは非動作状態）。
【００６５】
この結果、本デュアルモード端末１では、ＴＡＣＳの通信信号を受信した場合、その信号を増幅するのに最適な動作条件でＦＭ用ＩＦアンプ３５Ｂが動作することになる。
ところで、ＣＰＵ９は、上述のごとくＴＡＣＳモードでの待受状態となった後、例えば５分が経過したか否かを監視しており（ステップＳ５）、５分が経過していなければ（ステップＳ５でＮＯと判定されれば）、ＴＡＣＳモードでの待受状態を維持する一方、５分が経過すると（ステップＳ５でＹＥＳと判定されると）、再度、ＣＤＭＡのサービスエリアに入っているか否かを判別する（ステップＳ６）。
【００６６】
この結果、ＣＤＭＡのサービスエリアに入っていなければ（ステップＳ６でＮＯと判定されれば）、ＣＰＵ９は、ＴＡＣＳモードでの待受状態を維持する一方、ＣＤＭＡのサービスエリアに入っていれば（ステップＳ６でＹＥＳと判定されれば）、送信系２を通じて、ＣＤＭＡの基地局にアクセスすることにより、自己（端末１）の電番情報などの所要の情報を基地局に登録してもらい（ステップＳ７）、ＣＤＭＡモードでの待受状態となる（ステップＳ８）。
【００６７】
つまり、本実施形態のデュアルモード端末１は、ＴＡＣＳモードでの待受状態でも、定期的（ここでは、５分毎）に、ＣＤＭＡのサービスエリアに入っているかどうかを確認し、ＣＤＭＡのサービスエリアに入れば、自動的に、ＣＤＭＡモードを優先して、ＣＤＭＡモードでの待受状態となるようになっているのである。
ところで、このとき、ＣＰＵ９では、ＣＤＭＡモード用のモード切り替え信号（Ｈレベル）を生成しており、このモード切り替え信号が受信系３の切り替えスイッチ３４及び電源切り替え回路３９に供給されている。これにより、切り替えスイッチ３４の出力がＣＤＭＡ復調処理系４０Ａ側に切り替えられるとともに、電源切り替え回路３９におけるトランジスタＴＲ３，ＴＲ４が動作し、ＣＤＭＡ復調処理系４０ＡのＣＤＭＡ用ＩＦアンプ３５Ａに電源電圧が供給されて、このＣＤＭＡ用ＩＦアンプ３５Ａが動作する（ＦＭ用ＩＦアンプ３５Ｂは非動作状態）。
【００６８】
この結果、本デュアルモード端末１では、ＣＤＭＡの通信信号を受信した場合、その信号を増幅するのに最適な動作条件でＣＤＭＡ用ＩＦアンプ３５Ａが動作することになる。つまり、本デュアルモード端末１は、受信信号の無線通信方式に応じて複数種類の増幅器３５Ａ及び３５Ｂのうちのいずれかを選択し、選択した増幅器３５Ａ又は３５Ｂを用いて受信信号の増幅を行なうのである。
【００６９】
なお、端末１の電源投入後、最初にＣＤＭＡの基地局からの信号の受信を検出した場合（ステップＳ１でＹＥＳと判定された場合）、ＣＰＵ９は、上記のステップＳ７及びＳ８の処理を実施して、ＣＤＭＡモードでの待受状態となる。
以上のように、本第１実施形態におけるデュアルモード端末１によれば、受信フロントエンド３に、ＣＤＭＡ，ＴＡＣＳ（ＦＭ）という複数種類の通信方式に応じた複数種類の増幅器３５Ａ，３５Ｂが設けられているので、各通信方式の受信信号をそれぞれ各通信方式に専用の増幅器３５Ａ，３５Ｂで個別に増幅することができ、これにより、常に、受信信号の増幅に最適な増幅器３５Ａ，３５Ｂで信号の増幅を行なうことができる。
【００７０】
そして、本実施形態では、受信信号の無線通信方式に応じて生成されるＣＰＵ９からのモード切り替え信号によって、その受信信号の増幅に必要な増幅器３５Ａ又は３５Ｂのみが選択・使用される（動作する）ので、本端末１の消費電力の低減化に大いに寄与している。
具体的には、ＣＰＵ９からのモード切り替え信号に応じて、切り替えスイッチ３４での切り替え処理を制御するとともに増幅器３５Ａ，３５Ｂのいずれかを動作させているので、簡素な構成で、受信信号の無線通信方式に応じた選択増幅処理が実現されている。
【００７１】
特に、本実施形態では、ＣＤＭＡ用ＩＦアンプ３５Ａ及びＦＭ用ＩＦアンプ３５Ｂが、それぞれ、ＣＤＭＡ方式とＴＡＣＳ方式とで異なるＩＩＰ３（ＴＡＣＳ方式よりもＣＤＭＡ方式の方がＩＩＰ３が高い）をそれぞれ満足する動作条件となるようにバイアス電流量を設定されているので、ＴＡＣＳ方式及びＣＤＭＡ方式の各通信方式に最適な動作条件（バイアス電流量）で受信信号の増幅を行なうことができる。従って、例えば図９に示したように、増幅器１０５を各通信方式で共通化してそのバイアス電流量をＩＩＰ３の高いＣＤＭＡ方式に合わせて大きくする場合に比べて、大幅に消費電力を低減することができている。
【００７２】
また、本実施形態では、切り替えスイッチ３４を受信フロントエンド３のＩＦ段に設けて、増幅器３５Ａ，３５ＢをそれぞれＩＦ帯用のＩＦアンプ３５Ａ，３５Ｂとして構成としているので、少なくともＲＦ段についてはＣＤＭＡ方式，ＦＭ方式に共通な構成となっており、本端末１のさらなる小型化を図ることができている。
さらに、本実施形態では、端末１の電源投入に伴って、ＣＰＵ９が、受信信号の無線通信方式がＣＤＭＡ方式，ＴＡＣＳ方式のいずれであるかを検出し、その検出結果に応じたモード切り替え信号を生成して切り替えスイッチ３４及び電源切り替え回路３９に供給することにより、動作させるＩＦアンプ３５Ａ，３５Ｂの切り替え制御を自動的に行なうので、本端末１の利便性の向上にも大きく寄与している。
【００７３】
なお、上述した実施形態では、複数種類の無線通信方式として、ＣＤＭＡ方式とＴＡＣＳ（ＦＭ）方式の２種類の通信方式を適用した場合について説明したが、本発明はこれに限定されず、上記以外の無線通信方式〔例えば、ＴＤＭＡ(Time Division Multile Access)方式など〕を適用することも可能であるし、また、３種類以上の無線通信方式を適用することも可能である。
【００７４】
また、上述した実施形態では、切り替えスイッチ３４をＩＦ段に設けることにより、ＲＦ段を各通信方式に共通な構成としＩＦ段以降を各通信方式用に複数系統としているが、例えば、ＲＦ段以降から複数系統にしてもよい（ＬＮＡ３１を各通信方式用に複数設けてもよい）。ただし、この場合は、回路規模が増大してしまうので携帯無線移動端末１に適用するには不向きである。
【００７５】
さらに、上述した実施形態では、切り替えスイッチ３４を各ＩＦアンプ３５Ａ，３５Ｂの前段に設けることにより、ＩＦアンプ３５Ａ，３５Ｂの前段で各通信方式に応じた受信信号の選択を行なっているが、例えば、切り替えスイッチ３４を各ＩＦアンプ３５Ａ，３５Ｂの後段に設けて、ＩＦアンプ３５Ａ，３５Ｂの後段で各通信方式に応じた受信信号の選択を行なうことも可能である。ただし、この場合は、各ＩＦアンプ３５Ａ，３５Ｂをそれぞれ動作させなくてはならないので、消費電力の点から考えてみても、携帯無線移動端末１に適用するには不向きである。
【００７６】
また、上述した実施形態では、電源投入時にＣＰＵ９がＣＤＭＡ方式，ＴＡＣＳ方式を判別することにより、自動的に、ＣＤＭＡモード，ＴＡＣＳモードの切り替えを行なっているが、この切り替えはユーザによる手動によって行なうことも可能である。さらに、本実施形態の端末１は、図４により上述したように、ＣＤＭＡ方式の信号の受信検出を優先的に行なうようになっているが、勿論、ＴＡＣＳ方式の信号の受信検出を優先的に行なうようにしてもよい。
【００７７】
（Ｂ）第２実施形態の説明
図５は本発明の第２実施形態としての携帯無線移動端末（無線端末）の構成を示すブロック図で、この図５に示す携帯無線移動端末１′は、図１により前述した端末１に比して、ミキサ３３の後段にＣＤＭＡ方式及びＦＭ（ＴＡＣＳ）方式に共通のＩＦアンプ３５が設けられるとともに、このＩＦアンプ３５の後段に切り替えスイッチ３４が設けられ、且つ、電源切り替え回路３９に代えてバイアス調整回路３９′が設けられている点が異なる。
【００７８】
即ち、本第２実施形態における携帯無線移動端末１′（以下、単に「端末１′」といったり、「デュアルモード端末１′」といったりすることがある）は、ＩＦアンプ３５の後段に切り替えスイッチ３４を設けることにより、ＩＦアンプ３５の後段を２系統の復調処理系４０Ａ，４０Ｂとしている。なお、他の構成要素（図１に示す符号と同一符号を付したもの）はそれぞれ図１により前述したものとそれぞれ同様のものである。また、図６はこの端末１′の受信系（受信フロントエンド）３に着目した構成を示すブロック図である。
【００７９】
ここで、上記のＩＦアンプ３５は、受信信号としてＲＦ帯の無線信号をミキサ３３にてダウンコンバートした後のＩＦ帯の無線信号（受信ＩＦ信号）を増幅するＩＦ帯用の増幅器で、本第２実施形態では、ＣＤＭＡモード，ＦＭモード（ＣＰＵ９からのモード切り替え信号）に応じてバイアス調整回路３９′が制御されることによって、その動作条件がＣＤＭＡモード，ＦＭモードに応じた動作条件に変更されるようになっている。
【００８０】
つまり、本実施形態のデュアルモード端末１′は、受信フロントエンド３に、受信信号を増幅する各無線通信方式に共通の増幅器３５が設けられるとともに、ＣＰＵ９が、この増幅器３５の動作条件（バイアス電流量）を受信信号の無線通信方式に応じた動作条件（バイアス電流量）に変更する制御部（バイアス変更制御部）として機能するようになっている。
【００８１】
具体的には、ＣＤＭＡモード時にはＣＤＭＡ方式に要求されるＩＩＰ３を満足するＣＤＭＡ用のバイアス電流量（第１電流量）に、ＦＭモード時にはＦＭ方式に要求されるＩＩＰ３を満足するＦＭ用のバイアス電流量（第２電流量）になるように変更することにより上記の動作条件の変更を行なうようになっている。ただし、本実施形態においても、ＦＭ方式に要求されるＩＩＰ３よりもＣＤＭＡ方式に要求されるＩＩＰ３の方が高いので、ＦＭ用のバイアス電流量よりもＣＤＭＡ用のバイアス電流量の方を大きくする。
【００８２】
この場合も、バイアス電流量の調整手法は特に問わないが、本第２実施形態では、例えば図７に示すように、ＩＦアンプ３５を、バイポーラトランジスタＴＲ７，抵抗Ｒ２１〜Ｒ２３，コンデンサＣ１１〜Ｃ１４を用いて構成するとともに、バイアス調整回路３９′を、電界効果トランジスタＦＥＴ１及び抵抗Ｒ２４を用いて構成し、少なくとも、トランジスタＴＲ７のエミッタ７ｅに抵抗Ｒ２３とトランジスタＦＥＴ１を介して抵抗Ｒ２４とを並列に接続しておく。そして、ＣＰＵ９で生成されるモード切り替え信号（Ｈレベル）がトランジスタＦＥＴ１のベース１ｂに入力されるようにしておく。
【００８３】
これにより、ＣＤＭＡモード時には、トランジスタＦＥＴ１のベース１ｂにＣＤＭＡ用のモード切り替え信号（Ｈレベル）が入力されると、トランジスタＦＥＴ１が動作し（ＯＮ状態となり）、ＩＦアンプ３５の抵抗Ｒ２３とバイアス調整回路３９′の抵抗Ｒ２４とが並列に接続された状態となる。
この結果、トランジスタＴＲ７のエミッタ７ｅに接続されている全抵抗値が小さくなり、ＦＭモード時よりもＣＤＭＡモード時の方がエミッタ７ｅに流れる電流量（即ち、ＤＣＭＡ用のバイアス電流量）の方が大きくなる。なお、ＦＭモード時にはトランジスタＦＥＴ１は動作しないので、トランジスタＴＲ７のエミッタ７ｅには抵抗Ｒ２３の抵抗値にのみ依存した電流量（即ち、ＦＭ用のバイアス電流量）が流れる。
【００８４】
従って、本実施形態では、抵抗Ｒ２３の抵抗値がＦＭ方式でのＩＩＰ３を満足する値に設定し、抵抗Ｒ２３と抵抗Ｒ２４とが並列接続されたときの抵抗値がＣＤＭＡ方式でのＩＩＰ３を満足する値に設定しておけばよく、簡素な構成で、受信信号の無線通信方式に応じたＩＦアンプ３５の動作条件の変更制御が実現されている。
このような構成により、本第２実施形態におけるデュアルモード端末１′においても、第１実施形態にて前述した手順（図４参照）と同様にして、ＣＤＭＡのサービスエリアに入っていれば、ＣＤＭＡモードでの待受状態となり、ＣＰＵ９が、ＣＤＭＡ用のモード切り替え信号（Ｈレベル）を生成して、このモード切り替え信号を切り替えスイッチ３４及びバイアス調整回路３９′にそれぞれ供給する。
【００８５】
これにより、バイアス調整回路３９′のトランジスタＦＥＴ１が動作し（ＯＮ状態となり）、ＩＦアンプ３５の抵抗Ｒ２３とバイアス調整回路３９′の抵抗Ｒ２４とが並列接続された状態となり、トランジスタＴＲ７のエミッタ７ｅにはＣＤＭＡ用のバイアス電流量が流れる。この結果、ＩＦアンプ３５は、ＣＤＭＡの通信信号を受信した場合、その信号を増幅するのに最適な動作条件で動作する。
【００８６】
一方、電源投入時に端末１′がＦＭのサービスエリアに入っていれば、端末１′は、ＦＭモードでの待受状態となり、ＣＰＵ９は、ＦＭ用のモード切り替え信号（Ｌレベル）を生成して、このモード切り替え信号を切り替えスイッチ３４及びバイアス調整回路３９′にそれぞれ供給する。
これにより、バイアス調整回路３９′のトランジスタＦＥＴ１は非動作（ＯＦＦ）状態となるので、バイアス調整回路３９′の抵抗Ｒ２４がトランジスタＴＲ７のエミッタ７ｅから切り離された状態となり、トランジスタＴＲ７のエミッタ７ｅにはＦＭ用のバイアス電流量が流れる。この結果、ＩＦアンプ３５は、ＦＭの通信信号を受信した場合、その信号を増幅するのに最適な動作条件で動作する。
【００８７】
つまり、本実施形態におけるデュアルモード端末１′は、受信信号を増幅するための増幅器３５の動作条件を受信信号の無線通信方式に応じた動作条件に変更し、このように動作条件を変更した状態で受信信号の増幅を行なうのである。
従って、第１実施形態のようにＣＤＭＡ方式，ＴＡＣＳ方式の各通信方式に応じた増幅器を複数種類設ける必要がなく、端末１′全体の簡素化を図りつつ、常に、各通信方式に最適な動作条件で増幅器３５を動作させて受信信号の増幅を行なうことができる。そして、この場合は、各無線通信方式に最適なバイアス電流量で増幅器３５を動作させるので、図９により前述したように、増幅器１０５を各通信方式で共通化してそのバイアス電流量を上記ＩＩＰ３の高いＣＤＭＡ方式に合わせて大きく調整したままにしておく場合に比べて、本端末１′の消費電力が大幅に低減されている。
【００８８】
また、本実施形態においても、端末１の電源投入に伴って、ＣＰＵ９が、受信信号の無線通信方式がＣＤＭＡ方式，ＴＡＣＳ方式のいずれであるかを検出し、その検出結果に応じたモード切り替え信号を生成して切り替えスイッチ３４及びバイアス調整回路３９′に供給することにより、ＩＦアンプ３５のバイアス調整を自動的に行なうので、本端末１の利便性の向上にも大きく寄与している。
【００８９】
さらに、本実施形態では、増幅器３５をＩＦ帯用のＩＦアンプ３５とし、ＲＦ段からＩＦアンプ３５までを各無線通信方式に共通な構成としているので、第１実施形態の端末１に比べて、本端末１′のさらなる小型化を図ることができている。
なお、上述した第２実施形態でも、複数種類の無線通信方式として、ＣＤＭＡ方式とＴＡＣＳ（ＦＭ）方式の２種類の通信方式を適用した場合について説明したが、本発明はこれに限定されず、上記以外の無線通信方式（例えば、ＴＤＭＡ方式など）を適用することも可能であるし、また、３種類以上の無線通信方式を適用することも可能である。
【００９０】
また、上述した第２実施形態では、ＩＦ段におけるＩＦアンプ３５の後段に切り替えスイッチ３４を設けているが、例えば、ＲＦ段におけるＬＮＡ３１に対してバイアス調整制御を施すようにして、ＬＮＡ３１の後段に切り替えスイッチ３４を設けるようにしてもよい。ただし、この場合も、第１実施形態にて前述したように、回路規模が増大してしまうので携帯無線移動端末１′に適用するには不向きである。
【００９１】
さらに、上述した第２実施形態でも、電源投入時にＣＰＵ９がＣＤＭＡ方式，ＴＡＣＳ方式を判別することにより、自動的に、ＣＤＭＡモード，ＴＡＣＳモードの切り替えを行なっているが、この切り替えはユーザによる手動によって行なうことも可能である。さらに、本端末１′のＣＰＵ９も、ＣＤＭＡ方式ではなくＴＡＣＳ方式の信号の受信検出（サービスエリアの検出）を優先的に行なうようにしてもよい。
【００９２】
また、上述した各実施形態では、携帯無線移動端末に対して本発明を適用した場合について説明したが、本発明はこれに限定されず、固定局など無線受信機能を有するものであればどのような装置に適用してもよい。
そして、本発明は上述した第１及び第２実施形態に限定されるものではなく、本発明の趣旨を逸脱しない範囲で種々変形して実施することができる。
【００９３】
（Ｃ）付記
（付記１）
複数種類の無線通信方式における無線信号を受信しうる受信系をそなえるとともに、
該受信系に、該複数種類の無線通信方式に応じて、複数種類の受信信号増幅用の増幅器が設けられていることを特徴とする、無線受信装置。
【００９４】
（付記２）
該受信信号の該無線通信方式に応じて使用する増幅器を選択する選択制御部が設けられていることを特徴とする、付記１記載の無線受信装置。
（付記３）
該受信系が、該受信信号を該無線通信方式に応じて該増幅器のいずれかへ出力する出力選択部をそなえるとともに、
該選択制御部が、
該受信信号の無線通信方式に応じて、該出力選択部での選択処理を制御するとともに該増幅器のいずれかを動作させるように構成されていることを特徴とする、付記２記載の無線受信装置。
【００９５】
（付記４）
該出力選択部が、該受信信号として無線周波数帯の無線信号をダウンコンバートした後の中間周波数帯の無線信号が入力される中間周波数段に設けられるとともに、
該増幅器が、それぞれ、該中間周波数帯の無線信号を増幅する中間周波数帯用の増幅器として構成されていることを特徴とする、付記３記載の無線受信装置。
【００９６】
（付記５）
該複数種類の無線通信方式が、自己の無線通信方式とは異なる無線通信方式の受信信号に起因して自己の無線通信方式の受信信号に対して生じる雑音信号の許容レベルが相互に異なる第１通信方式と第２通信方式とである場合に、
該複数種類の増幅器として、該許容レベルをそれぞれ満足する動作条件となるようにそれぞれ異なるバイアス電流量を設定された該第１通信方式用の第１増幅器と該第２通信方式用の第２増幅器とが設けられるとともに、
該出力選択部が、
該受信信号を該第１増幅器及び該第２増幅器のいずれかに分配する分配スイッチとして構成され、且つ、
該選択制御部が、
該受信信号の無線通信方式に応じて、該分配スイッチの出力を該第１増幅器及び該第２増幅器のいずれかに切り替えるとともに、対応する該第１増幅器及び該第２増幅器のいずれかを動作させる切り替え制御部として構成されていることを特徴とする、付記３又は付記４に記載の無線受信装置。
【００９７】
（付記６）
該切り替え制御部が、
該受信信号の無線通信方式が該第１通信方式及び該第２通信方式のいずれであるかを検出する通信方式検出部をそなえるとともに、
該通信方式検出部において該第１通信方式が検出されると、該分配スイッチの出力を該第１増幅器側へ切り替えるとともに該第１増幅器を動作させる一方、該通信方式検出部において該第２通信方式が検出されると、該分配スイッチの出力を該第２増幅器側へ切り替えるとともに該第２増幅器を動作させるように構成されていることを特徴とする、付記５記載の無線受信装置。
【００９８】
（付記７）
該第２通信方式が、所望の変調方式を利用したアナログ無線通信方式であり、該第１通信方式が、該アナログ無線通信方式よりも該雑音信号の該許容レベルの低い、スペクトラム拡散方式を利用したデジタル無線通信方式であることを特徴とする、付記５又は付記６に記載の無線受信装置。
【００９９】
（付記８）
該第１増幅器のバイアス電流量が該第２増幅器のバイアス電流量よりも大きく設定されていることを特徴とする、付記７記載の無線受信装置。
（付記９）
複数種類の無線通信方式における無線信号を受信しうる受信系をそなえるとともに、該受信系に、受信信号を増幅する該無線通信方式に共通の増幅器が設けられ、且つ、
該増幅器の動作条件を該受信信号の無線通信方式に応じた動作条件に変更する制御部をそなえていることを特徴とする、無線受信装置。
【０１００】
（付記１０）
該制御部が、
該受信信号の無線通信方式に応じて該増幅器のバイアス電流量を変更することにより該動作条件を変更するバイアス変更制御部として構成されていることを特徴とする、付記９記載の無線受信装置。
【０１０１】
（付記１１）
該複数種類の無線通信方式が、自己の無線通信方式とは異なる無線通信方式の受信信号に起因して自己の無線通信方式の受信信号に対して生じる雑音信号の許容レベルが相互に異なる第１通信方式と第２通信方式とである場合に、
該バイアス変更制御部が、
該受信信号の無線通信方式に応じて、該増幅器の動作条件が該許容レベルをそれぞれ満足するよう、該増幅器のバイアス電流量を第１通信方式用の第１電流量と第２通信方式用の第２電流量との間で変更するように構成されていることを特徴とする、付記１０記載の無線受信装置。
【０１０２】
（付記１２）
該バイアス変更制御部が、
該受信信号の無線受信方式が該第１通信方式及び該第２通信方式のいずれであるかを検出する通信方式検出部をそなえるとともに、
該通信方式検出部において該第１通信方式が検出されると、該増幅器のバイアス電流量を該第１電流量に変更する一方、該通信方式検出部において該第２通信方式が検出されると、該増幅器のバイアス電流量を該第２電流量に変更するように構成されていることを特徴とする、付記１１記載の無線受信装置。
【０１０３】
（付記１３）
該増幅器が、該受信信号として無線周波数帯の無線信号をダウンコンバートした後の中間周波数帯の無線信号を増幅する中間周波数帯用の増幅器として構成されていることを特徴とする、付記１０〜１２のいずれかに記載の無線受信装置。
（付記１４）
該第２通信方式が、所望の変調方式を利用したアナログ無線通信方式であり、該第１通信方式が、該アナログ無線通信方式よりも該雑音信号の該許容レベルの低い、スペクトラム拡散方式を利用したデジタル無線通信方式であることを特徴とする、付記１１〜１３のいずれかに記載の無線受信装置。
【０１０４】
（付記１５）
該第１電流量が該第２電流量よりも大きいことを特徴とする、付記１４記載の無線受信装置。
（付記１６）
複数種類の無線通信方式における無線信号を受信しうる無線受信装置において、
受信信号の無線通信方式に応じて複数種類の増幅器のうちのいずれかを選択し、
選択した増幅器を用いて該受信信号の増幅を行なうことを特徴とする、無線受信装置における信号増幅方法。
【０１０５】
（付記１７）
複数種類の無線通信方式における無線信号を受信しうる無線受信装置において、
受信信号を増幅するための増幅器の動作条件を受信信号の無線通信方式に応じた動作条件に変更し、
該動作条件を変更した状態で該受信信号の増幅を行なうことを特徴とする、無線受信装置における信号増幅方法。
【図面の簡単な説明】
【０１０６】
【図１】第１実施形態としての携帯無線移動端末（無線端末）の構成を示すブロック図である。
【図２】第１実施形態の携帯無線移動端末の受信系に着目した構成を示すブロック図である。
【図３】第１実施形態の受信系におけるＣＤＭＡ用ＩＦアンプ，ＦＭ用ＩＦアンプ及び電源切り替え回路の詳細構成を模式的に示す回路図である。
【図４】第１実施形態の携帯無線移動端末の動作を説明するためのフローチャートである。
【図５】第２実施形態としての携帯無線移動端末（無線端末）の構成を示すブロック図である。
【図６】第２実施形態の携帯無線移動端末の受信系に着目した構成を示すブロック図である。
【図７】第２実施形態の受信系におけるＩＦアンプ及びバイアス調整回路の詳細構成を模式的に示す回路図である。
【図８】（ａ），（ｂ）はいずれもＣＤＭＡ方式を説明するための図である。
【図９】デュアルモード端末（携帯無線移動端末）の受信系の一例を示すブロック図である。
【図１０】ＩＩＰ３を説明するためのＩＦアンプの入出力特性例を示す図である。
【符号の説明】
【０１０７】
１，１′  携帯無線移動端末（無線端末）
２  送信系
３  受信系（受信フロントエンド）
４  アンテナ
５  アンテナ共用器
６  シンセサイザ〔ＰＬＬ(Phase Locked Loop) 回路〕
７，２２，２５，３２，３６Ａ，３６Ｂ  バンドパスフィルタ（ＢＰＦ）
８  大規模集積回路（ＬＳＩ）
９  中央演算回路〔ＣＰＵ：選択制御部（切り替え制御部），制御部（バイアス変更制御部，通信方式検出部）
２１  直交変調器
２３，２６，３７Ａ ＡＧＣ(Automatic Gain Control)  アンプ
２４  ミキサ（アップコンバータ）
２７  パワーアンプ（ＰＡ）
２８  アイソレータ
３１  ローノイズアンプ
３３  ミキサ（ダウンコンバータ）
３４  切り替えスイッチ（出力選択部，分配スイッチ）
３５  ＩＦアンプ（増幅器）
３５Ａ  ＣＤＭＡ用ＩＦアンプ（第１増幅器）
３５Ｂ  ＦＭ用ＩＦアンプ（第２増幅器）
３８Ａ  直交復調器
３８Ｂ  ＦＭ復調器
３９  電源切り替え回路
３９′  バイアス調整回路
４０Ａ  ＣＤＭＡ復調処理系
４０Ｂ  ＦＭ復調処理系
ＴＲ１〜ＴＲ７  バイポーラトランジスタ
ＦＥＴ１  電界効果トランジスタ
１ｂ  ベース
７ｅ  エミッタ
Ｃ１〜Ｃ８，Ｃ１１〜Ｃ１４  コンデンサ
Ｒ１〜Ｒ１２，Ｒ２１〜Ｒ２４  抵抗
Ｌ１〜Ｌ６  コイル
ＩＮＶ１  インバータ
【図１】
2007028670.tif 000003
【図２】
2007028670.tif 000004
【図３】
2007028670.tif 000005
【図４】
2007028670.tif 000006
【図５】
2007028670.tif 000007
【図６】
2007028670.tif 000008
【図７】
2007028670.tif 000009
【図８】
2007028670.tif 000010
【図９】
2007028670.tif 000011
【図１０】
2007028670.tif 000012